(57)【特許請求の範囲】
【請求項１】
座部とその後方に設けた背凭れ部とを備えた椅子式マッサージ機であって、
座部の内部で幅方向及び長さ方向においてマッサージ部材を複数並設したマッサージ無端ベルト帯を駆動部で前後方向に回転させたものとし、
前記マッサージ無端ベルト帯は、座部の下部に内設する左右一対の支持フレームの後端側に軸設された駆動歯車及び支持フレームの前端側において該支持フレームに回転可能に軸設した追従歯車とそれぞれ噛合しており、
前記マッサージ無端ベルト帯は、前記追従歯車の軸を基軸とすると共に、前記駆動歯車側に伸縮機構を設けることにより上下方向に移動可能にしたことを特徴とする椅子式マッサージ機。
【請求項２】
前記マッサージ部材を玉状に形成し、
複数の前記マッサージ部材を幅方向同軸上において回転可能に並設させてマッサージ列体を構成し、該マッサージ列体を前記マッサージ無端ベルト帯の長さ方向に並設させ、
前記駆動部により回転する歯車を前記マッサージ無端ベルト帯の内面に噛合して設けると共に、前記駆動部を前記歯車と同軸上に設けたことを特徴とする請求項１記載の椅子式マッサージ機。
【請求項３】
更にリモコンである操作部を具備し、
前記マッサージ無端ベルト帯の回転方法は、被施療者が当該操作部において選択できることを特徴とする請求項１又は２に記載の椅子式マッサージ機。
【請求項４】
前記マッサージ無端ベルト帯は、一方向に回転すると共に、所定時間経過毎にその回転方向を逆転させることを特徴とする請求項１〜３のいずれか記載の椅子式マッサージ機。
【発明の詳細な説明】
【技術分野】
【０００１】
本発明は、座部において下腿全域に対するマッサージを満遍なく実施できる椅子式マッサージ機を提供する。
【背景技術】
【０００２】
従来、椅子式マッサージ機において、背凭れ部に昇降可能な電動の揉み玉や空気給排装置による空気の給排で膨縮する膨縮袋などから構成されるマッサージ機構を適所に設けた構成のものは主流となっており、加えて背凭れ部の他に座部や足載せ部などにも同様のマッサージ機構を配設することで下腿をもマッサージできるようにした、全身マッサージが可能な構成のものは既によく知られている。
【０００３】
この種従来の椅子式マッサージ機としては、例えば図９に示したようなものがあり、人体の大腿部と臀部を支持する座部の基盤２に、基盤２の上方に位置する人体の大腿部Ａに向かって起立し先端部に揉み輪７を備えたアーム６を有するプレート５を配設し、このプレート５を基盤２の臀部側において枢着支持するとともにプレート５と基盤２との間に空気の給排によって伸縮する揺動用のエアーセル８を配してこの揺動用のエアーセル８の伸縮によってプレート５を上下方向に揺動させるようになし、このプレート５の揺動によって揉み輪７に円弧軌跡の斜め方向の上下運動を付与して大腿部Ａに押し込みマッサージが施されるように構成したものとしている。
また、上記基盤２の左右の臀部Ｂが位置する部分には、それぞれ空気の給排によって上下方向に伸縮する押圧用エアーセル（膨張袋）９，９が配設されていて、この押圧用エアーセル９，９の伸縮によって人体の左右の臀部Ｂに押し揉み作用が施されるようになっている。
【特許文献１】特開平１０−１５５８５３号公報（第５頁、図２）
【発明の開示】
【発明が解決しようとする課題】
【０００４】
ところで、従来の上記椅子式マッサージ機は、座部において上下運動するマッサージ部材の揉み輪及び空気の給排により上下伸縮する膨張袋により下腿に対し押圧マッサージできるよう構成するものであるが、これらの揉み輪及び膨張袋は座部において所定の位置に固設されている。
【０００５】
そのため、被施療者は下腿の限られた部位しかマッサージを受けられず、下腿における他の部位をマッサージするためには座部における着座位置をずらすなどしなければならない。
【０００６】
しかしながら、そのような座部における被施療者の移動は、背凭れ部に凭れた被施療者の背部もずれることになり、背凭れ部に設けた背部マッサージ機構による的確なマッサージを妨げるという課題が生じると考えられる。
【０００７】
よってこのような課題を解決すべく、座部における着座位置をずらさずして下腿全域に対するマッサージを満遍なく実施できる新たな構成の椅子式マッサージ機における開発が要望されていた。
【０００８】
そこで、本発明は、上記問題点を解消する為に成されたものであり、座部において下腿全域に対するマッサージを満遍なく実施できる椅子式マッサージ機を提供する事を目的とするものである。
【課題を解決するための手段】
【０００９】
すなわち、本発明の椅子式マッサージ機は、座部とその後方に設けた背凭れ部とを備えた椅子式マッサージ機であって、座部の内部で幅方向及び長さ方向においてマッサージ部材を複数並設したマッサージ無端ベルト帯を駆動部で前後方向に回転させたものとしている。
【００１０】
また、本発明の椅子式マッサージ機は、複数の前記マッサージ部材を幅方向同軸上において回転可能に並設させてマッサージ列体を構成し、該マッサージ列体を前記マッサージ無端ベルト帯の長さ方向に並設させたものとしている。
【００１１】
さらに、本発明の椅子式マッサージ機は、前記マッサージ部材を玉状に形成したものとしている。
【００１２】
また、本発明の椅子式マッサージ機は、前記駆動部により回転する歯車を前記マッサージ無端ベルト帯の内面に噛合して設けたものとしている。
【００１３】
さらに、本発明の椅子式マッサージ機は、前記駆動部を前記歯車と同軸上に設けたものとしている。
【発明の効果】
【００１４】
よって、本発明の椅子式マッサージ機は、座部とその後方に設けた背凭れ部とを備えた椅子式マッサージ機であって、座部の内部で幅方向及び長さ方向においてマッサージ部材を複数並設したマッサージ無端ベルト帯を駆動部で前後方向に回転させたものとしているため、座部において下腿全域に対するマッサージを満遍なく実施することができる。
【００１５】
また、本発明の椅子式マッサージ機は、複数の前記マッサージ部材を幅方向同軸上において回転可能に並設させてマッサージ列体を構成し、該マッサージ列体を前記マッサージ無端ベルト帯の長さ方向に並設させたものとしているため、下腿全体をローリングマッサージすることができる。
【００１６】
さらに、本発明の椅子式マッサージ機は、前記マッサージ部材を玉状に形成したものとしているため、比較的ソフトなマッサージ感のローリングマッサージが実現できる。
【００１７】
また、本発明の椅子式マッサージ機は、前記駆動部により回転する歯車を前記マッサージ無端ベルト帯の内面に噛合して設けたものとしているため、駆動部の駆動力伝達効率を高めることができる。
【００１８】
さらに、本発明の椅子式マッサージ機は、前記駆動部を前記歯車と同軸上に設けたものとしているため、座部におけるこのようなマッサージ機構をコンパクトに構成できる。
【発明を実施するための最良の形態】
【００１９】
以下に、本発明の椅子式マッサージ機を、図面に示す一実施形態に基づきこれを詳細に説明する。図１は本発明の椅子式マッサージ機の一実施形態を示す斜視図であり、図２は本発明の椅子式マッサージ機の一実施形態を示す使用状態図であり、図３は本発明の椅子式マッサージ機の一実施形態を示す右側面図であり、図４は本発明の椅子式マッサージ機におけるマッサージ無端ベルト帯の一実施形態を示す斜視説明図であり、図５は本発明の椅子式マッサージ機におけるマッサージ無端ベルト帯の動作に関する一実施形態を示す平面説明図であり、図６は本発明の椅子式マッサージ機におけるマッサージ無端ベルト帯の回転動作に関する一実施形態を示す側面説明図であり、図７は本発明の椅子式マッサージ機におけるマッサージ無端ベルト帯に伸縮機構を設けた一実施形態を示す側面説明図であり、図８は本発明の椅子式マッサージ機におけるマッサージ無端ベルト帯に設けた伸縮機構の伸縮動作に関する一実施形態を示す側面説明図であり、図９は従来技術を示す参考図である。
【００２０】
すなわち、図１乃至図３の実施形態で示したように、本発明の椅子式マッサージ機１ａは、被施療者の臀部及び大腿部などが当接する座部１１ａと、その後方に被施療者の背部及び腰部、それに頭部などが当接するリクライニング可能な背凭れ部１２ａと、座部１１ａの前方に出没可能な被施療者の脛部などを載置する足載せ部１３ａとを備えたものである。
【００２１】
また、前記座部１１ａの両側において、被施療者の手部や腕部を載置するための肘掛け部１４ａをそれぞれ立設している。
【００２２】
尚、図３に示すように、前記片側の肘掛け部１４ａの上方にリモコンである操作部５ａを立設させており、この椅子式マッサージ機１ａにおける全操作を行うようにしている。
【００２３】
さらに、図１に示すように前記背凭れ部１２ａにおいて、左右一対の揉み玉から構成するマッサージ部材３１ａを備えた背部及び腰部方向に昇降する背部マッサージ機構３ａを設けると共に、空気給排装置４１ａの空気給排により膨縮する膨縮袋４ａを適所に複数設けたものとしている。
【００２４】
前記背部マッサージ機構３ａは、前記背凭れ部１２ａの内部左右に設けた左右一対のガイドレール３２ａに沿って該背凭れ部１２ａの上端から下端にかけて昇降するようにしている。
【００２５】
加えて、前記背部マッサージ機構３はモータ等を駆動源とした機械式の施療機構であり、前記背凭れ部１２ａに凭れた被施療者の首部、背部、腰部、臀部等の背面全域を、たたき、揉み、ローリング、振動、指圧などの多様な形態で施療するようにしたものである。
【００２６】
さらに、前記背凭れ部１２ａの左右両側において、前方に向かってそれぞれ突出した側壁部２ａ・２ａを夫々配設している。この左右の側壁部２ａは、前記座部１１ａに着座した施療者の肩または上腕側方となる位置に配設しており、該左右の側壁部２ａの内側面には夫々左右方向に重合した前記膨縮袋４ａを並列状態に埋設している。
【００２７】
これら重合した前記側壁部２ａ・２ａの前記各膨縮袋４ａ・４ａは、その基端部のみを側壁部２ａの基端部に取り付けているため、膨張時には重合した膨縮袋４ａ・４ａが扇状に広がって施療者の身体側部を挟圧しつつ、身体前方まで覆うようになる。よって、施療者の身体が前記背凭れ部１２ａから離れないようにしっかりと保持する事ができ、この状態で前記背部マッサージ機構３ａによる背部からのマッサージを効果的に受ける事が可能となる。
【００２８】
前記足載せ部１３ａは、人体の脚部である脛部または足先部を夫々嵌入させる左右一対の凹部を夫々形成したものであり、各凹部に前記膨縮袋４ａを左右一対として対設するよう設けて、凹部内部で人体の脛部及び足先部に対する挟圧施療を実施するようにしている。
【００２９】
他にも、図１に示すように前記左右の肘掛け部１４ａの上部には、必要に応じて人体の手や前腕を嵌入保持して施療するための凹部を形成する腕保持部１５ａを設ける事ができる。この図１の場合、該腕保持部１５ａの内部において、上下に前記各膨縮袋４ａを夫々対設するよう設けて、凹部内部で人体の手や前腕に対する挟圧施療を実施するようにしている。
【００３０】
尚、前記空気給排装置４１ａは、図示していないが圧縮空気を発生させるエアポンプと、該圧縮空気を各エアホースに分配する複数の電磁弁からなる分配器と、該分配器の内部機構を電子回路により制御する電子制御回路とから主に構成され、前記座部１１ａの下部空間に配備している。
【００３１】
また、前記膨縮袋４ａについては、軟質樹脂やナイロンのシートによる溶着成形、または同材質のブロー成形等で製造され、前記空気給排装置３ａの空気の給排気による継続的な膨縮に耐え得るものを採用している。
【００３２】
上述した本発明の椅子式マッサージ機１ａはさらに、図１、図４、図６に示すように前記座部１１ａの内部で幅方向及び長さ方向においてマッサージ部材７１ａを複数並設したマッサージ無端ベルト帯７ａを駆動部７３ａで前後方向に回転させたものとしている。
【００３３】
すなわち、複数の前記各マッサージ部材７１ａを幅方向に横設した支持軸７１１ａ上において回転可能に並設させてマッサージ列体７０ａを構成し、該マッサージ列体７０ａをこのマッサージ無端ベルト帯７ａの長さ方向に並設させたものとして構成している。
【００３４】
また、前記各マッサージ部材７１ａを玉状に形成したものとしており、その材質としては軟質樹脂又はゴムなどを適用できる。
【００３５】
さらに、前記駆動部７３ａはモータと減速機が一体構成したものであり、図６に示すように該駆動部７３ａにより回転する駆動歯車７２１ａを前記マッサージ無端ベルト帯７ａの内面に噛合して設けたものとしている。
【００３６】
尚、前記駆動部７３ａは前記駆動歯車７２１ａと同軸上に設けたものとしている。よって、前記座部１１ａにおける前記マッサージ無端ベルト帯７ａをコンパクトに構成することができる。
【００３７】
また、前記駆動歯車７２１ａを前記駆動部７３ａを介して左右に分割されたものとしてもよい。
【００３８】
加えて、前記駆動部７３ａは、図示しないが前記座部１１ａの下部に内設する左右一対の支持フレーム６ａに固設されたものとしており、さらに前記駆動歯車７２１ａは該支持フレーム６ａに回転可能に軸設されたものとしている。
【００３９】
前記マッサージ無端ベルト帯７ａのさらなる構成として、図４乃至図６に示すように、前記左右一対の各支持フレーム６ａの幅方向内側に、左右一対の各ベルト７４ａを回転可能に取り付けている。すなわち、図６に示すように該各ベルト７４ａは、前記支持フレーム６ａの後端側に軸設された前記駆動歯車７２１ａ及び支持フレーム６ａの前端側において該支持フレーム６ａに回転可能に軸設した追従歯車７４１ａとそれぞれ噛合して、前記座部１１ａの長さ方向において回転動作できるようにしている。
【００４０】
さらに、図４及び図５に示すように前記左右のベルト７４ａ・７４ａの間に前記支持軸７１１ａを前記座部１１ａの長さ方向に一定の間隔を存して多数並設させている。尚、前述したように各支持軸７１１ａには前記各マッサージ部材７１ａを回転可能に多数軸設している。
【００４１】
このように構成した前記マッサージ無端ベルト帯７ａは、図６に示すように前記駆動部７３ａの駆動力により前記駆動軸７２ａが一方向に回転し、その回転が前記駆動歯車７２１ａに伝達されるので、前記ベルト７４ａは一方向に回転することになり、前記各マッサージ部材７１ａが前記座部１１ａに着座した被施療者の下腿下部を押圧しながら転動して、その下腿下部全体を隈無くマッサージするようにしているのである。
【００４２】
尚、前記ベルト７４ａの回転方向は、被施療者が前記操作部５ａにおいて選択できるようにしてもよい。また、その回転の速さを調節したり、さらには所定時間経過毎にその回転方向を逆転させたりしてもよい。
【００４３】
図７及び図８に示すのは、前記追従歯車７４１ａの軸を基軸とすると共に、前記駆動歯車７２１ａ側に伸縮機構７５ａを設け、前記マッサージ無端ベルト帯７ａを上下方向に移動可能にしたものである。
【００４４】
これによって、前記マッサージ無端ベルト帯７ａの下腿に対する加圧を被施療者の好みに応じて調整でき、前記座部１１ａにおける多様なマッサージ感が実現できることになる。
【００４５】
前述したように本発明の椅子式マッサージ機１ａは、前記背凭れ部１２ａの左右両側に設けた前記側壁部２ａ・２ａの前記各膨縮袋４ａの膨張によって、被施療者の身体が背凭れ部１２ａから離れないようにしっかりと保持する事ができようにしている。
【００４６】
よって、前記背凭れ部１２ａにおいて被施療者の身体を保持した最適な姿勢で前記マッサージ無端ベルト帯７ａによる下腿マッサージが実施できるのである。
【図面の簡単な説明】
【００４７】
【図１】本発明の椅子式マッサージ機の一実施形態を示す斜視図である。
【図２】本発明の椅子式マッサージ機の一実施形態を示す使用状態図である。
【図３】本発明の椅子式マッサージ機の一実施形態を示す右側面図である。
【図４】本発明の椅子式マッサージ機におけるマッサージ無端ベルト帯の一実施形態を示す斜視説明図である。
【図５】本発明の椅子式マッサージ機におけるマッサージ無端ベルト帯の動作に関する一実施形態を示す平面説明図である。
【図６】本発明の椅子式マッサージ機におけるマッサージ無端ベルト帯の回転動作に関する一実施形態を示す側面説明図である。
【図７】本発明の椅子式マッサージ機におけるマッサージ無端ベルト帯に伸縮機構を設けた一実施形態を示す側面説明図である。
【図８】本発明の椅子式マッサージ機におけるマッサージ無端ベルト帯に設けた伸縮機構の伸縮動作に関する一実施形態を示す側面説明図である。
【図９】従来技術を示す参考図である。
【符号の説明】
【００４８】
１ａ  椅子式マッサージ機
１１ａ  座部
１２ａ  背凭れ部
１３ａ  足載せ部
１４ａ  肘掛け部
１５ａ  腕保持部
２ａ  側壁部
３ａ  背部マッサージ機構
３１ａ  マッサージ部材
３２ａ  ガイドレール
４ａ  膨縮袋
４１ａ  空気給排装置
５ａ  操作部
６ａ  支持フレーム
７ａ  マッサージ無端ベルト帯
７０ａ  マッサージ列体
７１ａ  マッサージ部材
７１１ａ  支持軸
７２ａ  駆動軸
７２１ａ  駆動歯車
７３ａ  駆動部
７４ａ  ベルト
７４１ａ  追従歯車
７５ａ  伸縮機構
【図１】
0005348864.tif 000002
【図２】
0005348864.tif 000003
【図３】
0005348864.tif 000004
【図４】
0005348864.tif 000005
【図５】
0005348864.tif 000006
【図６】
0005348864.tif 000007
【図７】
0005348864.tif 000008
【図８】
0005348864.tif 000009
【図９】
0005348864.tif 000010